(57)【特許請求の範囲】
【請求項１】
情報を表示した表示シートと、
透明な表示部と、前記表示部の背面側で前記表示シートを保持する第１の保持部と、前記表示部の背面に前記表示シートを脱着する脱着空間とを有するカバー体と、
前記表示シートを保持する第２の保持部を有し、前記脱着空間を開閉可能に回動する開閉体とを備え、
前記開閉体を閉状態から開状態へ回動する過程の所定の角度では、前記表示シートを前記カバー体の前記第１の保持部から前記開閉体の前記第２の保持部に載せ換え、
前記開閉体を開状態から閉状態へ回動する過程の所定の角度では、前記表示シートを前記開閉体の前記第２の保持部から前記カバー体の前記第１の保持部に載せ換えることを特徴とする表示体脱着構造。
【請求項２】
前記カバー体の背面には、前記開閉体を回動する過程の所定の角度で、前記表示シートを前記開閉体の前面に対して押圧する押圧部が設けられていることを特徴とする請求項１記載の表示体脱着構造。
【請求項３】
前記カバー体の前記押圧部は、前記開閉体の前記第２の保持部が回動する軌跡外に突出して形成された突部からなることを特徴とする請求項２記載の表示体脱着構造。
【請求項４】
前記カバー体の前記第１の保持部は、前記押圧部の下側に設けられ、前記開閉体の前記第２の保持部が回動する軌跡外に突出して形成されたシート受け片であり、
前記開閉体が閉状態に回動したときに、前記第２の保持部が前記表示シートを前記シート受け片に載せ換えることを特徴とする請求項１〜３のいずれか１項に記載の表示体脱着構造。
【請求項５】
前記カバー体の前記押圧部及び前記シート受け片は、前記カバー体の両端にわたって形成され、
前記カバー体の前記押圧部及び前記シート受け片には、前記開閉体の前記保持部の移動を許容する凹部が設けられていることを特徴とする請求項４記載の表示体脱着構造。
【請求項６】
前記開閉体の前記第２の保持部は、前記表示シートを掬い上げる保持面を有する保持爪からなることを特徴とする請求項１〜５のいずれか１項に記載の表示体脱着構造。
【請求項７】
前記開閉体は、前記カバー体の対向側壁を回動中心として係脱可能に設けられていることを特徴とする請求項１記載の表示体脱着構造。
【請求項８】
前記カバー体を支持するカバー体支持枠を備え、
前記カバー体支持枠は、自動販売機の筐体に形成された係止部に外方向から係脱可能な係合部を有していることを特徴とする請求項１記載の表示体脱着構造。
【請求項９】
前記カバー体支持枠は、スイッチを実装した回路基板を有し、
前記カバー体は、前記カバー体支持枠の対向側壁に回動可能に支持され、前記スイッチを押圧するスイッチ押圧部を有していることを特徴とする請求項８記載の表示体脱着構造。
【請求項１０】
前記回路基板には、前記カバー体の背面を照明する発光素子が実装されていることを特徴とする請求項９記載の表示体脱着構造。
【請求項１１】
前記表示シートは、紙、台紙、プラスチックフィルム、あるいはプラスチックシートからなることを特徴とする請求項１記載の表示体脱着構造。
【発明の詳細な説明】
【技術分野】
【０００１】
本発明は、例えば商品見本と対応する商品価格などの所望の表示を行うための表示シートを脱着可能に配置した表示体脱着構造に係り、特に、表示シートの交換作業の効率化を図った表示体脱着構造に関する。
【背景技術】
【０００２】
従来から、例えば自動販売機の外扉に、複数の商品見本と対応するそれぞれの商品価格、及び冷温表示などの所望の表示を行うための表示シートを脱着可能に配置した表示体脱着構造がある。この従来の表示体脱着構造の一例としては、例えば自動販売機外扉のフロントパネルの背面及び平板状ホルダの前面間に表示シートを介在させることで、表示シートを自動販売機外扉のフロントパネルの背面に脱着可能に保持する表示体脱着構造がある（例えば、特許文献１参照）。
【特許文献１】特開平６−３０９５４８号公報
【発明の開示】
【発明が解決しようとする課題】
【０００３】
この種の自動販売機においては、例えば季節等に応じて商品の入れ換えが行われる。その際、作業者により入れ換えた商品の価格などに合せて表示シートなどの差し換えが行われている。複数の商品見本と対応する部位に配された複数の表示シートを差し換える場合は、作業者により自動販売機外扉を開けて、複数の商品見本と対応する平板状ホルダ及び表示シートの２部材をフロントパネルの背面から取り外す。次いで、新しい商品名あるいは商品価格などを表示した新しい表示シートと差し換え、その後、取り外した平板状ホルダをフロントパネルの背面に対して取り付けている。
【０００４】
しかしながら、上記従来の表示体脱着構造では、フロントパネルの背面及び平板状ホルダの前面間に密接した状態で表示シートを介在させている。そのため、フロントパネルの背面に張り付いてしまった表示シートを手指で持てる位置まで取り出すことは困難となり、平板状ホルダをフロントパネルの背面に対して取り外すときに平板状ホルダや表示シートが外部へ飛び出したり、あるいは紛失してしまったりするという問題点があった。また、上述した表示シートの交換作業に手間、労力と時間などを必要とし、その交換作業が煩雑になるという問題点があった。
【０００５】
本発明は、上記従来の課題を解消すべくなされたものであり、開閉体や表示シートをカバー本体から脱落することなく、容易に、円滑にかつ確実に交換することができる表示体脱着構造を提供することを目的としている。
【課題を解決するための手段】
【０００６】
［１］本発明は、上記目的を達成するため、情報を表示した表示シートと、
透明な表示部と、前記表示部の背面側で前記表示シートを保持する第１の保持部と、前記表示部の背面に前記表示シートを脱着する脱着空間とを有するカバー体と、
前記表示シートを保持する第２の保持部を有し、前記脱着空間を開閉可能に回動する開閉体とを備え、
前記開閉体を閉状態から開状態へ回動する過程の所定の角度では、前記表示シートを前記カバー体の前記第１の保持部から前記開閉体の前記第２の保持部に載せ換え、
前記開閉体を開状態から閉状態へ回動する過程の所定の角度では、前記表示シートを前記開閉体の前記第２の保持部から前記カバー体の前記第１の保持部に載せ換えることを特徴とする表示体脱着構造にある。
【発明の効果】
【０００８】
本発明は、表示シートをカバー本体に対して開閉体の回動に伴い脱着可能に構成することができるので、表示シートをカバー本体から脱落することなく、容易に、円滑にかつ確実に交換することができるようになる。それに加えて、表示シートの擦過傷、紛失などを防止することが可能となる。
【発明を実施するための最良の形態】
【０００９】
以下、本発明の好適な実施の形態を添付図面に基づいて具体的に説明する。
【００１０】
図１は、本発明の代表的な実施の形態である表示部を備えた自動販売機を模式的に示す正面図である。図２〜図４は、この実施の形態に係る典型的な表示部を備えた選択ボタンの全体構成を示している。図２（ａ）は、選択ボタンを正面側からみた斜視図、図２（ｂ）は、選択ボタンを背面側からみた部分断面斜視図である。図３Ａ（ａ）は、選択ボタンを正面側からみた分解斜視図、図３Ｂ（ｂ）は、選択ボタンを裏面側からみた分解斜視図である。図４は、図２（ｂ）のＩＶ−ＩＶ線の断面拡大図であり、図５は、図２（ｂ）のＶ−Ｖ線の部分断面拡大図である。
【００１１】
なお、以下の説明において、選択ボタンの前面側を前面部、背面側を背面部といい、選択ボタンを正面からみて上下及び左右という。また、これらの図において、上下及び左右の構造、形状が実質的に同じ部材には同一の部材名と符号を付している。また、図１において、選択ボタン６Ａ〜６Ｌのそれぞれの構造及び作動は同一である。そのため、選択ボタン６Ａのみについて説明し、選択ボタン６Ｂ〜６Ｌについての説明は省略する。
【００１２】
（自動販売機の構成）
図１において、符号１は、投入金額内で選択された金額情報が記録されているプリペードカードを販売するカード販売機の全体構成を示している。このカード販売機１は、箱型の筐体２を備えている。この筐体２は、前方に開口する箱体２ａ及び箱体２ａの前方開口部を開閉する扉体２ｂにより構成されている。
【００１３】
扉体２ｂは、前面パネル３を前面上部に備えている。前面パネル３の表面には、入力ガイダンス、設定入力ガイダンス、釣銭切れ、挿入紙幣・投入硬貨に関する各種の情報を表示する液晶表示器４と、それらの情報を音声出力するスピーカ用の抜き孔５と、プリペードカードを指定するための１２個の選択ボタン６Ａ〜６Ｌを備える選択ボタン部６とが備えられている。前面パネル３の表面には更に、プリペードカード入出口７と、紙幣入出口８と、硬貨投入口９と、紙幣入出口８または硬貨投入口９に挿入／投入された紙幣又は硬貨を返却する返却レバー１０とが備えられている。前面パネル３の下側には、釣銭返却口１１と、扉体２ｂの開閉をロックするドアロック１２とが備えられている。選択ボタン６Ａ〜６Ｌのそれぞれには、本実施の形態の特徴部である表示体脱着構造の表示部２０が設けられている。
【００１４】
（選択ボタンの構成）
図２〜図４において、選択ボタン６Ａの基本構成は、表示部２０とスイッチ部６０とを上下に配した構成を有している。その選択ボタン６Ａは、所望の情報の表示を行うための表示シートである表示フィルム２１と、表示フィルム２１を覆うカバー体３０と、カバー体３０の内部に回動可能に支持される開閉体４０と、カバー体３０を支持するカバー体支持枠５０との４つの構成部品により主に構成されている。これらの表示フィルム２１、カバー体３０、開閉体４０、及びカバー体支持枠５０は、互いに係脱可能に一体化されており、表示部２０及びスイッチ部６０がユニット化されている。
【００１５】
（表示シートの構成）
表示フィルム２１の前面部には、例えば商品の価格表示等が表記されている。この実施の形態にあっては、均一な厚さをもつ透光牲のプラスチックフィルムを表示シートとして例示するが、これに限定されるものではない。表示シートの材質としては、例えば平坦な紙、台紙等であってもよい。
【００１６】
（カバー体の構成）
表示フィルム２１を覆うカバー体３０の表示部２０は、図２〜図４に示すように、レンズからなる。そのカバー体３０は、背面側に向けて滑らかに湾曲する前面部３１と、前面部３１を取り囲む上下及び左右の４つの壁部３２，３３，３４，３４とからなる矩形箱型に形成されている。カバー体３０の上側壁部３２の中央先端縁には、開閉体４０を係脱可能に固定する取付片３２ａが開閉方向に向けて設けられている。このカバー体３０としては、例えば透明のプラスチック材、透明のプラスチック材の前面あるいは開口に透明のレンズを配したもの、並びに金属性枠体の開口に透明のレンズを配したものなどであってもよい。カバー体３０の前面部３１の形状にあっても、図示例に限定されるものではなく、例えば平面状に形成されていてもよい。
【００１７】
カバー体３０の内部には、図３Ｂ（ｂ）に示すように、内部仕切片３１ｂが左側壁部３４及び右側壁部３４間にわたって形成されており、カバー体３０の内部を上下に第１及び第２の領域３０ａ，３０ｂに区画している。この第１の領域３０ａは、前面部３１の背面に表示フィルム２１を脱着する脱着空間３０ａとされている。カバー体３０の左右側壁部３４，３４にあって脱着空間３０ａと対応する位置には、図２〜図３Ｂに示すように、一対の弾性係合片３４ａ，３４ａが上方向に向けて形成されている。その弾性係合片３４ａの先端には、円盤状の突起３４ｂ，３４ｂが突設されている。それらの突起３４ｂは、カバー体支持枠５０の対向側壁５１，５１に形成された円形の係合孔５１ａ，５１ａに弾性係合するとともに、係脱可能にかつ回動可能に支持されるようになっている。
【００１８】
一方、カバー体３０の左右側壁部３４，３４にあって第２の領域３０ｂと対応する位置には、図３Ａ及び図３Ｂに示すように、縦長の係合孔３４ｃ，３４ｃが穿設されている。その係合孔３４ｃ，３４ｃは、リフレクトケース３６の左右側壁部に形成された一対の弾性係合片３６ｃ，３６ｃの係合爪と係合するようになっている。そのリフレクトケース３６は、プラスチック材からなり、カバー体３０の第２の領域３０ｂにネームプレート３７を介して係脱可能に取り付けられるようになっている。リフレクトケース３６は、所定の波長の光を出射する一対のＬＥＤランプ６３，６３に対応した開口部３６ａ，３６ａを有しており、ＬＥＤランプ６３の照明によりネームプレート３７に記された文字、数字または図形等を照明するようになっている。
【００１９】
カバー体３０の背面部には、図３Ｂ〜図５に示すように、開閉体４０との間で表示フィルム２１を挟持する押圧部である突部３１ａが、内部仕切片３１ｂの上側に沿って形成されている。その突部３１ａ及び内部仕切片３１ｂを横切って上下に貫通して形成された左右一対の切除部３１ｃ，３１ｃが設けられている。その切除部３１ｃは、前面方向に窪んだ凹状をなしており、切除部３１ｃにより突部３１ａ及び内部仕切片３１ｂのそれぞれが３つに分割されている。図４を参照すると、カバー体３０の上部左右両側の背面部には更に、表示フィルム２１がカバー体３０の背面部に密着するのを防止する一対の小突部３１ｄ，３１ｄが突設されている。カバー体３０の上部左右両側の背面部にあって小突部３１ｄの上部には、一対の凹部３１ｅ，３１ｅが表示フィルム２１の上端縁に臨んで形成されている。この凹部３１ｅを設けることで、例えば開閉体４０が開いた状態で、先の尖ったシャープペンシルのようなものを凹部３１ｅ内に挿入させて表示フィルム２１をカバー体３０の背面部から引っ掻き出すことができる。
【００２０】
カバー体３０の内部仕切片３１ｂは、図３Ｂ〜図５に示すように、開閉体４０の保持爪４４が回動する軌跡の外側に突出されている。その内部仕切片３１ｂは、開閉体４０が閉状態にあるときに開閉体４０の保持爪４４の左右両側に隣接するように配されており、表示フィルム２１の下端を載せるシート受け片３１ｂとされている。開閉体４０が開状態から閉状態へ回動する過程の所定の角度で、内部仕切片３１ｂの切除部３１ｃに開閉体４０の保持爪４４を進入（係合）させて、表示フィルム２１の下端を開閉体４０の保持爪４４から内部仕切片３１ｂに載せ換えることができるようになっている。
【００２１】
一方のカバー体３０の突部３１ａは、図３Ｂ〜図５に示すように、開閉体４０の保持爪４４が回動する軌跡の外側に突出されている。その突部３１ａは更に、開閉体４０が回動する軌跡の一部に突出して形成されている。その突部３１ａは、開閉体４０を開状態から閉状態へ回動する過程の所定の角度で、表示フィルム２１を開閉体４０の前面部に対して押圧するとともに、表示フィルム２１の動き及び姿勢などを拘束する機能を有している。その突部３１ａは更に、開閉体４０の閉状態において、表示フィルム２１がカバー体３０の背面部に密着するのを防止する機能をも有している。図示例によると、突部３１ａの先端は、内部仕切片３１ｂの一対の切除部３１ｃにより、３つに分割された線形状に形成されているが、例えば点形状又は面形状に形成されていてもよく、カバー体３０の脱着空間３０ａ内に配されていれば、突部３１ａの形状、寸法、位置、個数などは特に限定されるものではない。内部仕切片３１ｂ、小突部３１ｄ及び凹部３１ｅにあっても、形状、寸法、位置、個数などは図示例に限定されるものではない。
【００２２】
リフレクトケース３６の上面には、図３Ｂ〜図５に示すように、カバー体３０の内部仕切片３１ｂの先端と当接する当接リブ３６ｄが形成されている。その当接リブ３６ｄは、内部仕切片３１ｂの切除部３１ｃと対応する部位にコ字状の内面壁を向けて形成された屈曲リブ３６ｂ，３６ｂを有している。その屈曲リブ３６ｂの背面には、一対のリブが形成されている。この屈曲リブ３６ｂの内面壁は、内部仕切片３１ｂの切除部３１ｃの内面壁と一致している。これらの内面壁に形成される凹部の入口は、脱着空間３０ａの周面と一致しており、開閉体４０の保持爪４４が、カバー体３０の脱着空間３０ａを介して移動するのを許容する移動許容空間とされている。
【００２３】
このリフレクトケース３６の背面中央部には、図３Ａ〜図４に示すように、円柱状のシリコンゴムなどの弾性材からなるスイッチ押圧部６１が突設されている。このスイッチ押圧部６１は、カバー体３０を押すことによりカバー体支持枠５０に設けられたタクトスイッチ６６をオン・オフするようになっている。カバー体３０は、カバー体支持枠５０に設けられたタクトスイッチ６６のオン・オフ動作を行う押圧操作部としての機能をも有しており、スイッチ部６０の一部を構成している。
【００２４】
（開閉体の構成）
表示フィルム２１を載置保持する前面部を有する開閉体４０は、図２〜図４に示すように、半透明又は透明のプラスチック材からなる平面状板部材から構成されている。開閉体４０の前面部の左右両側には、カバー体３０に取り付ける取付フランジ部４１，４１が背面側に向けて折り曲げられて起立している。その取付フランジ部４１のそれぞれには、カバー体３０の弾性係合片３４ａとは反対方向に延びる弾性係合片４２が形成されている。
【００２５】
開閉体４０の弾性係合片４２の先端は、図２〜図４に示すように、カバー体３０の弾性係合片３４ａの基端側に形成された係合孔３４ｄと弾性係合する小突起４２ａを有している。開閉体４０は、小突起４２ａを回動中心としてカバー体３０の左右側壁部３４間に回動可能に支持されるようになっており、カバー体３０の脱着空間３０ａを開閉するようになっている。この構成を採用することで、開閉体４０をカバー体３０に対して係脱可能に取り付けることができる。
【００２６】
開閉体４０の中央上端縁には、図２〜図４に示すように、短冊板状の把手部４３が開閉方向に向けて延設されている。その把手部４３には、カバー体３０の取付片３２ａに形成された取付孔と係合する小突片４３ａが突設されており、開閉体４０が不用意に開いて表示フィルム２１がカバー体３０から脱落するのを防止している。
【００２７】
開閉体４０の下端縁は、図３Ａ〜図５に示すように、カバー体３０の切除部３１ｃ及びリフレクトケース３６の屈曲リブ３６ｂと対応する位置にシート保持部である一対の保持爪４４，４４を有している。その保持爪４４の保持面は、開閉体４０を開状態から閉状態へ回動する過程で、表示フィルム２１の下端を保持するとともに、開閉体４０を閉状態から開状態へ回動する過程の所定の角度で、表示フィルム２１の下端を掬い上げる機能を有している。カバー体３０の切除部３１ｃ及びリフレクトケース３６の屈曲リブ３６ｂにより保持爪４４の移動許容空間が形成されるので、保持爪４４の移動を阻害することなく、開閉体４０の開閉動作が可能となる。
【００２８】
なお、図示例によると、開閉体４０は、カバー体３０の左右側壁部３４間に回動可能に支持されるが、これに限定されるものではない。開閉体４０は、例えばカバー体３０の脱着空間３０ａを回動可能に開閉することができるように支持されていればよく、カバー体支持枠５０の対向側壁５１間に回動可能に支持されていてもよい。また、カバー体３０の保持爪４４は、突部３１ａ及び内部仕切片３１ｂの形状、配置位置、設置個数などに応じて適宜に設定することができるので、図示例に限定されるものではないことは勿論である。
【００２９】
（カバー体支持枠の構成）
カバー体３０を係脱可能に支持するカバー体支持枠５０は、図２〜図４に示すように、プラスチック材からなり、上下の開口枠のそれぞれに背面側に向けて延設した４つの弾性係合片５２，…，５２を有している。それらの弾性係合片５２が、カード販売機１の扉体２ｂに形成された図示しない取付孔等の係止部に係合することで、選択ボタン６Ａをカード販売機１の扉体２ｂの外方向から装着することができるようになっている。
【００３０】
カバー体支持枠５０内の下部には、図３Ａ〜図４に示すように、前面側に開放する凹状の基板取付台５３が係脱可能に設けられている。その基板取付台５３の凹部内には、基板６２が装着されている。この基板６２には、リフレクトケース３６のスイッチ押圧部６１を介してオン・オフ操作されるタクトスイッチ６６が実装されている。基板６２にあってリフレクトケース３６の一対の開口部３６ａと対向する部位のそれぞれには、ネームプレート３７の背面を照明するＬＥＤランプ６３が実装されている。基板６２の背面には、外部装置と電気的に接続するコネクタ６４が実装されている。
【００３１】
この基板取付台５３の凹部内には、図３Ａ〜図４に示すように、一対のコイルばね６５，６５が介装されるようになっている。これらのコイルばね６５は、カバー体３０をカバー体支持枠５０内に装着した状態で、カバー体３０のリフレクトケース３６に向けて付勢している。カバー体３０の上部は、上述したようにカバー体支持枠５０の対向側壁５１間に回動可能に支持されるので、カバー体３０を押圧操作すると、リフレクトケース３６のスイッチ押圧部６１が、一対のコイルばね６５の弾力に抗してタクトスイッチ６６を押圧し、タクトスイッチ６６がオン・オフ動作するようになっている。以上のように構成されたカバー体支持枠５０の基板取付台５３に設けられた上記構成部品と、カバー体３０のリフレクトケース３６に設けられた上記構成部品とによりスイッチ部６０を構成することができる。
【００３２】
（選択ボタンの組立手順）
上記のように構成された選択ボタン６Ａの組立てにあたっては、先ず、ネームプレート３７を介してカバー体３０の係合孔３４ｃにリフレクトケース３６の弾性係合片３６ｃの係合爪を弾性係合させることで、カバー体３０の第２の領域３０ｂ内にリフレクトケース３６を装着する。次に、カバー体支持枠５０の基板取付台５３にコイルばね６５を装着する。次いで、カバー体３０の下側壁部３３から下方に突出した下部突起を、カバー体支持枠５０の基板取付台５３に形成された下孔内に位置決め係止した状態で（図４参照）、カバー体３０の弾性係合片３４ａの突起３４ｂをカバー体支持枠５０の係合孔５１ａに弾性係合させ、カバー体支持枠５０内にカバー体３０を装着する。続いて、カバー体支持枠５０内に装着したカバー体３０の弾性係合片３４ａの係合孔３４ｄに、カバー体支持枠５０の背面側から開閉体４０の弾性係合片４２の小突起４２ａを弾性係合させ、カバー体３０の第１の領域３０ａ内に開閉体４０を装着する。そして、開閉体４０の保持爪４４に表示フィルム２１を保持した後、開閉体４０を閉方向に回動させ、開閉体４０の把手部４３の小突片４３ａをカバー体３０の取付片３２ａの取付孔に係合することで、図２（ａ）に示すように選択ボタン６Ａの組立てが完了する。
【００３３】
（表示フィルムの入れ換え操作）
次に、図６を参照しながら、カード販売機１の表示フィルム２１の入れ換え操作について説明する。
【００３４】
図６は、この実施の形態に係わる選択ボタンに表示フィルムを入れ換える動作の一例を示している。図６Ａ（ａ）は、選択ボタンの開閉体を全閉した状態を、図６Ａ（ｂ）は、図６Ａ（ａ）の次の操作を、図６Ｂ（ｃ）は、図６Ａ（ｂ）の次の操作を、図６Ｂ（ｃ）は、選択ボタンの開閉体を全開した状態をそれぞれ示す断面図である。
【００３５】
一般に、カード販売機１は、建物内の壁部を背面とした状態で設置されている。そのため、プリペードカードの補充や交換等は、扉体２ｂを開けることで表示フィルム２１の入れ換え作業が扉体２ｂの背面部側から行われる。
【００３６】
プリペードカードの価格表示等が変更になった場合は、選択ボタン６Ａに装着されていたプリペードカードの価格を表示した表示フィルム２１を取り外し、選択ボタン６Ａに装着される新価格に合致する表示フィルム２１と交換する。また、入れ換えた表示フィルム２１に対応するプリペードカードの交換を実施する。
【００３７】
いま、選択ボタン６Ａが、図６Ａ（ａ）に示す全閉した状態で、開閉体４０の把手部４３を作業者の手指で持って引っ張ると、図６Ａ（ｂ）に示すように、その把手部４３の小突片４３ａとカバー体３０の取付片３２ａとの係合が解除され、開閉体４０が、カバー体３０の左右側壁部３４を回動中心として回動可能となる。開閉体４０の回動に伴い、カバー体３０の内部仕切片３１ｂ上に載置された表示フィルム２１が、カバー体３０の突部３１ａを回動支点として回動する。開閉体４０が所定の回動角度を超えると、カバー体３０の突部３１ａにより、表示フィルム２１を開閉体４０側へ押し倒し、表示フィルム２１の開閉体４０の前面部に対する押圧を次第に解除しながら、開閉体４０の保持爪４４が表示フィルム２１の下端を掬い上げる。このとき、開閉体４０の保持爪４４がカバー体３０の内部仕切片３１ｂから切除部３１ｃを介して脱着空間３０ａへ回動することで、表示フィルム２０がカバー体３０から開閉体４０に載せ換えられる。その保持爪４４は、図６Ｂ（ｃ）に示すように、前面部に表示フィルム２１を保持しつつ、表示フィルム２１と一緒に全開位置へと回動していく。そして、開閉体４０は、図６Ｂ（ｄ）に示すように、その取付フランジ部４１がカバー体支持枠５０の基板取付台５３の上面に当接して略水平に倒れ、全開位置に達する。その後、作業者の手指で表示フィルム２１を開閉体４０の前面部から取り外して、新たな表示フィルム２１を開閉体４０の前面部に載せる。
【００３８】
次に、上記操作とは逆の操作を行うことで、開閉体４０が、図６Ｂ（ｄ）及び図６Ｂ（ｃ）に示すように、表示フィルム２１と一緒にカバー体３０の左右側壁部３４を回動中心として閉じる方向に回動する。開閉体４０の回動に伴い、表示フィルム２１が、図６Ａ（ｂ）に示すように、カバー体３０の突部３１ａに当接するとともに、カバー体３０の内部仕切片３１ｂ上に載る。このとき、開閉体４０の保持爪４４がカバー体３０の内部仕切片３１ｂの切除部３１ｃに係合することで、表示フィルム２０が開閉体４０からカバー体３０の内部仕切片３１ｂに載せ換えられる。一方、カバー体３０の突部３１ａは、開閉体４０の前面部に対して押圧するとともに、表示フィルム２１の動き及び姿勢を拘束することとなる。開閉体４０の回動を続けると、表示フィルム２１は、カバー体３０の突部３１ａを回動支点として回動する。開閉体４０が所定の回動角度を超えると、開閉体４０の前面部が、表示フィルム２１の背面部に沿ってわずかに滑りながら回動する。開閉体４０の回動に伴い、開閉体４０の保持爪４４が、表示フィルム２１の下端から離れつつ、全閉位置へと移る。そして、開閉体４０が、図６Ａ（ａ）に示すように全閉位置に達したとき、開閉体４０の把手部４３の取付孔４３ａとカバー体３０の取付片３２ａとが係合される。こうして、表示フィルム２１の入れ換え操作が完了する。上記入れ換え操作によれば、表示フィルム以外の部品を取り外す操作を行わなくてもよいので、作業者は、表示フィルム２１の脱落、紛失などに細心の注意を払うことなく、表示フィルム２１の入れ換え作業を行うことができる。
【００３９】
（実施の形態の効果）
上記実施の形態によれば、以下の様々な効果が得られる。
（１）カバー体３０の狭小な内部を上下方向に第１及び第２の領域３０ａ，３０ｂに区画することで、第１の領域３０ａを表示部２０として設定するとともに、第２の領域３０ｂをスイッチ部６０として設定することができる。
（２）カバー体３０の狭小な内部に開閉体４０を回動させながら、表示フィルム２１をカバー体３０に対して脱着させることが可能となる。
（３）表示フィルム２１をカバー体３０から脱落することなく、容易に、円滑にかつ迅速に交換することが可能となる。
（４）表示フィルム２１の擦過傷、屈曲、脱落、紛失などを防止することが可能となる。
【００４０】
以上の説明からも明らかなように、上記実施の形態にあっては、表示部２０とスイッチ部６０とを有する選択ボタン６Ａを例示しているが、例えばカバー体支持枠５０の基板取付台５３、カバー体３０のリフレクトケース３６、及びＬＥＤランプ６３、タクトスイッチ６６などの電子部品を実装した基板６２を排除して、表示フィルム２１、カバー体３０、開閉体４０、及びカバー体支持枠５０だけを有する構成としてもよいことは勿論であり、本発明の初期の目的を十分に達成することができる。従って、本発明は、上記実施の形態及び変形例に限定されるものではなく、各請求項に記載した範囲内で様々に設計変更が可能である。
【産業上の利用可能性】
【００４１】
本発明は、例えば食券販売機、チケット販売機、飲料販売機などの各種の自動販売機に効果的に使用することができる。特に、メニュー交換の多い食券販売機などには、表示フィルム２１の擦過傷、屈曲、脱落、紛失などの防止に効果的である。
【図面の簡単な説明】
【００４２】
【図１】本発明の代表的な実施の形態である選択ボタンを備えた自動販売機を模式的に示す正面図である。
【図２】（ａ）は、選択ボタンを正面側からみた斜視図、（ｂ）は、選択ボタンを背面側からみた部分断面斜視図である。
【図３Ａ】Ａ（ａ）は、選択ボタンを正面側からみた分解斜視図である。
【図３Ｂ】Ｂ（ｂ）は、選択ボタンを裏面側からみた分解斜視図である。
【図４】図２（ｂ）のＩＶ−ＩＶ線の断面拡大図である。
【図５】図２（ｂ）のＶ−Ｖ線の部分断面拡大図である。
【図６Ａ】Ａ（ａ）は、選択ボタンの開閉体を全閉した状態を示す断面図、Ａ（ｂ）は、Ａ（ａ）の次の操作を示す断面図である。
【図６Ｂ】Ｂ（ｃ）は、Ａ（ｂ）の次の操作を示す断面図、Ｂ（ｄ）は、選択ボタンの開閉体を全開した状態を示す断面図である。
【符号の説明】
【００４３】
１                            カード販売機
２                            筐体
２ａ                          箱体
２ｂ                          扉体
３                            前面パネル
４                            液晶表示器
５                            スピーカ用抜き孔
６                            選択ボタン部
６Ａ〜６Ｌ                    選択ボタン
７                            プリペードカード入出口
８                            紙幣入出口
９                            硬貨投入口
１０                          返却レバー
１１                          釣銭返却口
１２                          ドアロック
２０                          表示部
２１                          表示フィルム
３０                          カバー体
３０ａ                        第１の領域
３０ｂ                        第２の領域
３１                          前面部
３１ａ                        突部
３１ｂ                        内部仕切片
３１ｃ                        切除部
３１ｄ                        小突部
３１ｅ                        凹部
３２〜３４                    壁部
３２ａ                        取付片
３４ａ，３６ｃ，４２，５２    弾性係合片
３４ｂ                        突起
３４ｃ，３４ｄ，５１ａ        係合孔
３６                          リフレクトケース
３６ａ                        開口部
３６ｂ                        屈曲リブ
３６ｄ                        当接リブ
３７                          ネームプレート
４０                          開閉体
４１                          取付フランジ部
４２ａ                        小突起
４３                          把手部
４３ａ                        小突片
４４                          保持爪
５０                          カバー体支持枠
５１                          対向側壁
５３                          基板取付台
６０                          スイッチ部
６１                          スイッチ押圧部
６２                          基板
６３                          ＬＥＤランプ
６４                          コネクタ
６５                          コイルばね
６６                          タクトスイッチ
【図１】
0005335223.tif 000002
【図２】
0005335223.tif 000003
【図３Ａ】
0005335223.tif 000004
【図３Ｂ】
0005335223.tif 000005
【図４】
0005335223.tif 000006
【図５】
0005335223.tif 000007
【図６Ａ】
0005335223.tif 000008
【図６Ｂ】
0005335223.tif 000009